(57)【要約】【課題】操作すべき球抜きスイッチを遊技者に確実に指示して誤操作を未然に防止する。【解決手段】球皿１は、当該球皿１内の余剰な遊技球を排出するための余剰球抜き用操作スイッチ５と、遊技球発射装置に向かう遊技球案内路１３から遊技球を排出するための終了時球抜き用操作スイッチ６とを備えている。球皿満タン検出スイッチが球皿の満タンを検出して出力信号を発すると、余剰球抜き用操作スイッチ５内に設けられた発光ダイオードが点灯する。この点灯は余剰球抜き用操作スイッチ５の透明なカバー部５１を通して視認され、これにより余剰球抜き用操作スイッチ５を操作すべきことが指示される。【選択図】　　　　図１
2004097279.tif 000002
【特許請求の範囲】
【請求項１】
球皿の球抜きの必要を検知した時に出力信号を発する球抜き信号発生手段と、前記出力信号を受けて、操作されるべき球抜き用操作スイッチを指示する指示器とを具備する遊技機。
【請求項２】
前記指示器を、球抜き用操作スイッチに付設されて当該球抜き用操作スイッチを指示する時に点灯する表示灯とした請求項１に記載の遊技機。
【請求項３】
前記球皿は、当該球皿内の余剰な遊技球を排出するための余剰球抜き用操作スイッチと、遊技球発射装置に向かう遊技球案内路から遊技球を排出するための終了時球抜き用操作スイッチとを備える一体式の球皿である請求項１又は２に記載の遊技機。
【発明の詳細な説明】
【０００１】
【発明の属する技術分野】
本発明は遊技機に関し、特に球抜き用操作スイッチの操作を的確に遊技者に指示できるようにした遊技機に関する。
【０００２】
【従来の技術】
パチンコ機、アレンジボール機、遊技球を利用したスロットマシン等の遊技機では球皿に余剰な遊技球が貯まると、これが検出されて、以後の球皿への賞球（遊技球）の払い出しが一時的に停止されるようになっている。そこで、この場合には余剰球抜き用操作スイッチを操作して球皿内の余剰な遊技球を排出する必要がある。一方、遊技を終了する場合等には終了時球抜き用操作スイッチを操作して、球皿および遊技球発射装置へ向かう案内路中にある全ての遊技球を排出する必要がある。なお、特許文献１には、遊技機において球貸しボタン、清算ボタン等の操作を促す表示を行うものが示されている。
【特許文献１】特開平１１−３３２０３号公報
【０００３】
【発明が解決しようとする課題】
この場合、特に、球皿が上下に個別に設けられていない、いわゆる一体式の球皿であると、余剰球抜き用と終了時球抜き用の各操作スイッチが隣接して設けられていることが多いため、遊技者が往々にして誤った操作スイッチを操作してしまうことがあった。
【０００４】
そこで本発明はこのような課題を解決するもので、操作すべき球抜きスイッチを遊技者に確実に指示して誤操作を未然に防止できる遊技機を提供することを目的とする。
【０００５】
【課題を解決するための手段】
上記目的を達成するために、本第１発明では、球皿（１）の球抜きの必要を検知した時に出力信号を発する球抜き信号発生手段（７５）と、上記出力信号を受けて、操作されるべき球抜き用操作スイッチ（５）を指示する指示器（５４）とを具備している。
【０００６】
本第１発明においては、球抜きの種類に応じた出力信号（例えば球皿満タン検出検出信号や遊技機外部から入力される打ち止め信号）を受けた指示器によって操作されるべき球抜き用操作スイッチが明確に指示されるから、遊技者が他の球抜きスイッチを誤って操作することはない。
【０００７】
本第２発明では、上記指示器を、球抜き用操作スイッチ（５）に付設されて当該球抜き用操作スイッチ（５）を指示する時に点灯する表示灯（５４）とする。この場合、上記球抜き用操作スイッチ（５）内に表示灯（５４）を収納するとともに、当該球抜き用操作スイッチ（５）の表面の少なくとも一部を、表示灯（５４）の点灯を視認できる透明部（５１）とすることもできる。
【０００８】
本第２発明においては、表示灯の点灯によって操作すべき球抜き用操作スイッチが確実に指示される。特に、表示灯を上記操作スイッチ内に収納すると、表示灯設置のためのスペースを遊技機上に確保する必要がない。
【０００９】
本第３発明では、上記球皿（１）は、当該球皿（１）内の余剰な遊技球を排出するための余剰球抜き用操作スイッチ（５）と、遊技球発射装置に向かう遊技球案内路（１３）から遊技球を排出するための終了時球抜き用操作スイッチ（６）とを備える一体式の球皿である。
【００１０】
一体式の球皿では余剰球抜き用操作スイッチと終了時球抜き用操作スイッチが隣接して設けられることが多いから、本発明を適用することによって確実に所要の球抜き用操作スイッチが操作される。
【００１１】
なお、上記カッコ内の符号は、後述する実施形態に記載の具体的手段との対応関係を示すものである。
【００１２】
【発明の実施の形態】
図１に一体式の球皿１を設けた遊技機の前板２の正面図を示し、図２にその平面図を示す。前板２はその左端２１が図略の本体枠にヒンジ結合されており、前板２の上部側に球皿１が設けられている。球皿１の右下方位置には遊技球発射用の操作ハンドル２２が設けられている。賞球排出口１１から球皿１内に排出された遊技球は、皿内底壁１２の傾斜にしたがって転動して、球発射装置に続く案内路１３に向かうが、賞球として排出される遊技球が多くなってくると次第に球皿１内に余剰球として溜まる。
【００１３】
そこで、球皿１の前面に設けられた詳細を後述する余剰球抜き用操作スイッチ５を押して、皿内底壁１２に開口している球抜き口１６のシャッター板３を開放させ、余剰の遊技球を、球排出路２３を経て球排出口２４から、下方に置いた図略の球箱内へ落下排出させる。なお、遊技を終了する等の場合には、上記操作スイッチ５に隣接して球皿１の前面に設けられた終了時球抜き用操作スイッチ６を押して、案内路１３の途中に開口する球抜き口１７のシャッター板４を開放させ、案内路１３内の発射用遊技球を含む球皿１内の全ての遊技球を、球排出路２３の途中に連結された補助排出路２５へ流出させる。
【００１４】
図３には余剰球抜き用操作スイッチ５とこれにより作動させられるシャッター板３の正面図を示し、図４にはその平面図を、図５にはその断面図をそれぞれ示す。余剰球抜き用操作スイッチ５は球皿１の表面に露出するカバー部５１が、正面視で（図３）終了時球抜き用操作スイッチ６とは対称的な形状となっている。カバー部５１は、前後（図５の左右方向）摺動可能に球皿１内に保持された略矩形の板状本体部５２に突設されており、全体が透明樹脂材で成形されている。このカバー部５１は上下面が平行面となって（図５）球皿１に形成された開口１８内に位置しており、カバー部５１の前面はその垂直断面が球皿１の表面に連続した傾斜面になるとともに、カバー部５１の水平断面は前方（図４の下方）へ山形に突出した形状となっている。
【００１５】
カバー部５１内には正面視でこれと略相似形の配線基板５３が収納されており、配線基板５３は垂直姿勢で本体部５２に支持されている（図５）。配線基板５３上には三個所に表示灯としての発光ダイオード５４が装着されており、これら発光ダイオード５４は後述するランプ制御基板からの出力信号によって点灯させられる。
【００１６】
シャッター板３は、軸体３３によって球皿１内に水平回動自在に支持された板部３１と、当該板部３１の先端に連続して成形されて皿内底壁１２の下面に沿って傾斜する板部３２（図３）とからなり、板部３２は平面視で（図４）球抜き口１６に沿いこれを完全に閉鎖する大きさとなっている。板部３１の基端には下方へ向けてピン体３４が突出形成されており（図３）、このピン体３４は余剰球抜き用操作スイッチ５の本体部５２の上隅に形成された係止筒部５５内に当接されている。上記軸体３３の周囲にはコイルバネ３５が配設されて、そのバネ力によってシャッター板３はその板部３２が球抜き口１６を閉鎖する位置（図４に示す位置）へ回動付勢されている。
【００１７】
球抜き口１６を開放して余剰の遊技球を球排出路２３へ排出する場合には、図６の矢印で示すように余剰球抜き用操作スイッチ５を球皿１内へ押し込む。これに伴ってシャッター板３が軸体３３回りに図６の時計方向へ旋回させられて板部３２が球抜き口１６の直下から移動し、球抜き口１６が開放される。
【００１８】
図７には遊技機の裏面を示す。図７において、遊技機裏面の上部には予備球貯留タンク７１が設けられ、当該貯留タンク７１から折り返すように案内樋７２が斜め下方へ延びている。案内樋７２の先端からは賞球導出樋７３が下方へ延び、その途中に球払出し装置７４が設けられている。賞球導出樋７３の下端は水平に屈曲して賞球排出口１１へ至っている。また、遊技機裏面には球払出し装置７４の作動を制御する払出し制御基板８１、遊技盤各部の装置の作動を制御する主基板８２、および前述した発光ダイオード５４を含む遊技機上のランプ類の点灯を制御するランプ制御基板８３が設けられている。
【００１９】
球皿１内に余剰の遊技球が貯まり、賞球排出口１１から球皿１へ遊技球が排出されずに賞球導出樋７３内に滞留するようになると、この滞留が上記導出樋７３に付設された球皿満タン検出スイッチ７５によって検出される。検出信号は図８に示すように払出し制御基板８１に入力し、これによって球払出し装置７４による賞球の排出が停止される。上記検出信号は主基板８２を経てランプ制御基板８３へ送られ、これを介して余剰球抜き用操作スイッチ５内に設けた発光ダイオード５４が点灯させられる。発光ダイオード５４の点灯は透明なカバー部５１を通して確実に視認されるから、遊技者は隣接して設けられた終了時球抜き用操作スイッチ６を誤って押すことはなく、発光ダイオード５４の点灯によって指示された余剰球抜き用操作スイッチ５が確実に押される。また、球皿満タン検出スイッチ７５によって検出される検出信号は、払出し制御基板８１を介さずに、直接主基板８２やランプ制御基板８３に入力しても良い。主基板８２に入力する場合は、主基板８２から払出し制御基板８１に払出し装置７４の停止信号が送られ、主基板８２からランプ制御基板８３に発光ダイオード５４を点灯させる信号が送られる。なお、遊技機外部から入力される打ち止め信号によって、終了時球抜き用操作スイッチ６を発光させて球抜きを指示する構成としてもよい。
【００２０】
上記実施形態では指示用表示灯としての発光ダイオード５４を、透明カバー部５１を有する余剰球抜き用操作スイッチ５内に設けたが、当該操作スイッチ５外のこれに近接する位置に設けるようにしても良い。また、操作すべき球抜き用操作スイッチを表示灯の点灯で指示するのに代えて、機械的な指示器を設けるようにしても良い。さらに、本発明が適用される球皿としては上皿と下皿で構成される分離式のものでも良い。
【００２１】
【発明の効果】
以上のように、本発明の遊技機によれば、操作すべき球抜きスイッチを遊技者に確実に指示して誤操作を未然に防止することができる。
【図面の簡単な説明】
【図１】本発明の一実施形態を示す、一体式の球皿を設けた遊技機の前板の正面図である。
【図２】一体式の球皿を設けた遊技機の前板の平面図である。
【図３】余剰球抜き用操作スイッチとこれにより作動させられるシャッター板の正面図である。
【図４】余剰球抜き用操作スイッチとこれにより作動させられるシャッター板の平面図である。
【図５】余剰球抜き用操作スイッチの垂直断面図である。
【図６】余剰球抜き用操作スイッチとこれにより作動させられるシャッター板の平面図である。
【図７】遊技機裏面の概略正面図である。
【図８】検出信号の流れを示すブロック図である。
【符号の説明】
１…球皿、１３…案内路、５…余剰球抜き用操作スイッチ、５１…カバー部、５４…発光ダイオード、６…終了時球抜き用操作スイッチ。
【図１】
2004097279.tif 000003
【図２】
2004097279.tif 000004
【図３】
2004097279.tif 000005
【図４】
2004097279.tif 000006
【図５】
2004097279.tif 000007
【図６】
2004097279.tif 000008
【図７】
2004097279.tif 000009
【図８】
2004097279.tif 000010